(57)【要約】【課題】太陽光発電システムにおいて実用的な散水アルゴリズムを提供する。【解決手段】太陽光発電システムでは、散水して太陽電池パネル１１を冷却する。太陽電池パネル１１の、出力電流値（Ｉ）の定格出力電流値（Ｉｐｍ）に対する比（Ｉ／Ｉｐｍ）と出力電圧値（Ｖ）の定格出力電流値（Ｖｐｍ）に対する比（Ｖ／Ｖｐｍ）に基づいて、太陽電池パネル１１への散水態様が決定される。Ｉ／Ｉｐｍの値が高いほど太陽電池パネル１１の発電量が多いため、冷却の必要性が高いとされる。また、Ｉ／Ｉｐｍの値が同じでもＶ／Ｖｐｍの値が高ければ、太陽電池パネル１１の中の太陽電池セルの温度が低いとして、冷却の必要性が低いとされる。冷却の必要性が高ければ、散水動作が実行され、また、１回の散水動作の散水時間は長くされ、散水動作間のインターバルが短くされる。【選択図】図１
2010129677.tif 000002
【特許請求の範囲】
【請求項１】
太陽電池パネルと、
前記太陽電池パネルからの直流発電電力を交流変換するパワーコンディショナと、
前記太陽電池パネルに対し散水する散水手段と、
前記太陽電池パネルから前記パワーコンディショナに入力される電力に関する検出出力に基づいて前記散水手段の散水態様を制御する制御手段とを備える、太陽光発電システム。
【請求項２】
前記制御手段は、
前記太陽電池パネルの定格出力電流値を記憶する記憶手段を含み、
前記太陽電池パネルの出力電流値の前記定格出力電流値に対する比を算出し、当該比が特定の値以上であれば前記散水手段に散水させ、当該比が前記特定の値未満であれば前記散水手段の散水を停止させる、請求項１に記載の太陽光発電システム。
【請求項３】
前記制御手段は、
前記太陽電池パネルの定格出力電力値を記憶する記憶手段を含み、
前記太陽電池パネルの出力電力値の前記定格出力電力値に対する比を算出し、当該比が特定の値以上であれば前記散水手段に散水させ、当該比が前記特定の値未満であれば前記散水手段の散水を停止させる、請求項１に記載の太陽光発電システム。
【請求項４】
前記記憶手段は、定格出力電圧値をさらに記憶し、
前記制御手段は、
前記太陽電池パネルの出力電圧値の前記定格出力電圧値に対する比を算出し、
前記特定の値と、前記太陽電池パネルの出力電圧値の前記定格出力電圧値に対する比の組み合わせにより、前記散水手段による散水を開始もしくは停止させる、請求項２または請求項３に記載の太陽光発電システム。
【請求項５】
隣接する前記太陽電池パネルの隣接部分を覆うカバー部材をさらに備える、請求項１〜請求項４のいずれかに記載の太陽光発電システム。
【請求項６】
前記太陽電池パネルの表面は、親水性に加工された材料で覆われている、請求項１〜請求項５のいずれかに記載の太陽光発電システム。
【請求項７】
前記制御手段は、前記散水手段に、前記パワーコンディショナに入力される電力に関する検出出力に基づいて決定する所定時間散水させる、請求項１〜請求項６のいずれかに記載の太陽光発電システム。
【請求項８】
前記制御手段は、
前記太陽電池パネルの定格出力電流値を記憶する記憶手段を含み、
前記所定時間を、前記太陽電池パネルの出力電流値の前記定格出力電流値に対する比が大きくなるほど長くなるように決定する、請求項７に記載の太陽光発電システム。
【請求項９】
前記制御手段は、
前記太陽電池パネルの定格出力電力値を記憶する記憶手段を含み、
前記所定時間を、前記太陽電池パネルの出力電力値の前記定格出力電力値に対する比が大きくなるほど長くなるように決定する、請求項７に記載の太陽光発電システム。
【請求項１０】
前記記憶手段は、定格出力電圧値をさらに記憶し、
前記制御手段は、
前記太陽電池パネルの出力電圧値の前記定格出力電圧値に対する比を算出し、
前記所定の時間を、前記太陽電池パネルの出力電圧値の前記定格出力電圧値に対する比が大きくなるほど、短くなるように決定する、請求項８または請求項９に記載の太陽光発電システム。
【請求項１１】
前記制御手段は、
前記太陽電池パネルが上下方向に隣接して設置される枚数の入力を受付け、
前記所定の時間を、前記枚数が多くなるほど、長くなるように決定する、請求項７〜請求項１０のいずれかに記載の太陽光発電システム。
【請求項１２】
前記制御手段は、前記散水手段に、断続的に散水する散水動作を繰り替えさせる、請求項１〜請求項１１のいずれかに記載の太陽光発電システム。
【請求項１３】
前記制御手段は、
前記太陽電池パネルの定格出力電流値を記憶する記憶手段を含み、
前記散水動作間の時間間隔を、前記太陽電池パネルの出力電流値の前記定格出力電流値に対する比が大きくなるほど短くなるように決定する、請求項１２に記載の太陽光発電システム。
【請求項１４】
前記制御手段は、
前記太陽電池パネルの定格出力電力値を記憶する記憶手段を含み、
前記散水動作間の時間間隔を、前記太陽電池パネルの出力電力値の前記定格出力電力値に対する比が大きくなるほど短くなるように決定する、請求項１２に記載の太陽光発電システム。
【請求項１５】
前記記憶手段は、定格出力電圧値をさらに記憶し、
前記制御手段は、
前記太陽電池パネルの出力電圧値の前記定格出力電圧値に対する比を算出し、
前記散水動作間の時間間隔を、前記太陽電池パネルの出力電圧値の前記定格出力電圧値に対する比が大きくなるほど、長くなるように決定する、請求項１３または請求項１４に記載の太陽光発電システム。
【請求項１６】
太陽熱温水器と、
前記散水手段と共通の給水源から前記太陽熱温水器に給水する手段をさらに備える、請求項１〜請求項１５のいずれかに記載の太陽光発電システム。
【請求項１７】
前記太陽熱温水器は、前記太陽電池パネルとその外形が同様となるように構成されている、請求項１６に記載の太陽光発電システム。
【請求項１８】
太陽電池パネルの直流発電電力を交流変換するパワーコンディショナと、前記太陽電池パネルに対し散水する散水手段とを備えた太陽光発電システムを制御するためのプログラムであって、
コンピュータにより読取可能であり、
前記コンピュータに、前記太陽電池パネルから前記パワーコンディショナに入力される電力に関する検出出力に基づいて、前記散水手段の散水態様を制御させる、太陽光発電システムの制御プログラム。
【発明の詳細な説明】
【技術分野】
【０００１】
太陽光発電システムに関し、特に、実用的かつ経済的な太陽光発電システムおよびその制御プログラムに関する。
【背景技術】
【０００２】
太陽光発電システムは、太陽電池を用いて、太陽の光エネルギを電気エネルギに変換する。太陽電池とは、一般に、シリコン、CuInGaSe、CdTe、GaAs等の半導体材料で構成され、太陽の光エネルギを直接電気エネルギに変換するデバイスである。
【０００３】
太陽電池は、半導体としての特性上、セル（素子）温度が上昇することにより出力電圧が低下し、結果として発電出力が低下する。この低下は、セルの冷却によって緩和することができるが、現在普及している太陽光発電システムにおいては積極的な冷却は行なわれておらず、自然の風による空冷が期待されるだけである。
【０００４】
なお、積極的な冷却手段の一つとして太陽電池パネルへの散水があり、これまでにいくつかの提案がなされている。たとえば、特許文献１（特開昭６２−１３０８４号公報）では、屋根の棟部に散水管、建屋内に受水タンクやポンプを設け、散水する方法が開示されている。特許文献２（特開２０００−２６１０２１号公報）では、太陽電池パネルの上方に設置した棒状の散水装置を用いて、太陽電池パネルの裏面もしくは表面に散水する方法が開示されている。特許文献３（特開２００２−８８９９４号公報）では、屋根の複数箇所に放水手段を設置し、太陽電池に散水する方法が開示されている。
【０００５】
また、散水に関するアルゴリズムについては、特許文献４（実用新案登録３０７５７５８号公報）において、太陽電池パネルが一体化された瓦に温度センサを取り付け、当該温度センサの検出温度が所定の温度以上になったことを検知して、散水を開始するというアルゴリズムが開示されている。
【特許文献１】特開昭６２−１３０８４号公報
【特許文献２】特開２０００−２６１０２１号公報
【特許文献３】特開２００２−８８９９４号公報
【特許文献４】実用新案登録３０７５７５８号公報
【発明の開示】
【発明が解決しようとする課題】
【０００６】
特許文献４（実用新案登録３０７５７５８号公報）において提案されている散水アルゴリズムは、温度センサの検出温度を必要とするため、太陽発電装置に温度センサを追加して設置する必要が生じ、コストの増加を必要とする。また、散水するか否かが温度のみによって判断されるため、夏などの気温が高い時期には、温度が高ければ、太陽電池が発電しない夜間や雨が降っている時にも無駄に散水が行なわれ、一方、冬などの気温が低い時期には、太陽電池が発電を行なっていても散水しないと考えられ、実用的なアルゴリズムを得るには今一歩検討が必要であると考えられていた。
【０００７】
本発明はかかる実情に鑑み考え出されたものであり、その目的は、太陽光発電システムにおいて実用的な散水アルゴリズムおよびそのような設備構成を提供することである。
【課題を解決するための手段】
【０００８】
本発明の太陽光発電システムは、太陽電池パネルと、太陽電池パネルからの直流発電電力を交流変換するパワーコンディショナと、太陽電池パネルに対し散水する散水手段と、太陽電池パネルからパワーコンディショナに入力される電力に関する検出出力に基づいて散水手段の散水態様を制御する制御手段とを備える。
【０００９】
また、本発明の太陽光発電システムでは、制御手段は、太陽電池パネルの定格出力電流値を記憶する記憶手段を含み、太陽電池パネルの出力電流値の定格出力電流値に対する比を算出し、当該比が特定の値以上であれば散水手段に散水させ、当該比が特定の値未満であれば散水手段の散水を停止させることが好ましい。
【００１０】
また、本発明の太陽光発電システムでは、制御手段は、太陽電池パネルの定格出力電力値を記憶する記憶手段を含み、太陽電池パネルの出力電力値の定格出力電力値に対する比を算出し、当該比が特定の値以上であれば散水手段に散水させ、当該比が特定の値未満であれば散水手段の散水を停止させることが好ましい。
【００１１】
また、本発明の太陽光発電システムでは、記憶手段は、定格出力電圧値をさらに記憶し、制御手段は、太陽電池パネルの出力電圧値の定格出力電圧値に対する比を算出し、特定の値と、太陽電池パネルの出力電圧値の定格出力電圧値に対する比の組み合わせにより、散水手段による散水を開始もしくは停止させることが好ましい。
【００１２】
また、本発明の太陽光発電システムは、隣接する太陽電池パネルの隣接部分を覆うカバー部材をさらに備えることが好ましい。
【００１３】
また、本発明の太陽光発電システムでは、太陽電池パネルの表面は、親水性に加工された材料で覆われていることが好ましい。
【００１４】
また、本発明の太陽光発電システムでは、制御手段は、散水手段に、パワーコンディショナに入力される電力に関する検出出力に基づいて決定する所定時間散水させることが好ましい。
【００１５】
また、本発明の太陽光発電システムでは、制御手段は、太陽電池パネルの定格出力電流値を記憶する記憶手段を含み、所定時間を、太陽電池パネルの出力電流値の定格出力電流値に対する比が大きくなるほど長くなるように決定することが好ましい。
【００１６】
また、本発明の太陽光発電システムでは、制御手段は、太陽電池パネルの定格出力電力値を記憶する記憶手段を含み、所定時間を、太陽電池パネルの出力電力値の定格出力電力値に対する比が大きくなるほど長くなるように決定することが好ましい。
【００１７】
また、本発明の太陽光発電システムでは、記憶手段は、定格出力電流または定格出力電力に加えて定格出力電圧値をさらに記憶し、制御手段は、太陽電池パネルの出力電圧値の定格出力電圧値に対する比を算出し、所定の時間を、太陽電池パネルの出力電圧値の定格出力電圧値に対する比が大きくなるほど、短くなるように決定することが好ましい。
【００１８】
また、本発明の太陽光発電システムでは、制御手段は、太陽電池パネルが上下方向に隣接して設置される枚数の入力を受付け、所定の時間を、枚数が多くなるほど、長くなるように決定することが好ましい。
【００１９】
また、本発明の太陽光発電システムでは、制御手段は、散水手段に、断続的に散水する散水動作を繰り替えさせることが好ましい。
【００２０】
また、本発明の太陽光発電システムでは、制御手段は、太陽電池パネルの定格出力電流値を記憶する記憶手段を含み、１回の散水動作の時間を、太陽電池パネルの出力電流値の定格出力電流値に対する比が大きくなるほど短くなるように決定することが好ましい。
【００２１】
また、本発明の太陽光発電システムでは、制御手段は、太陽電池パネルの定格出力電力値を記憶する記憶手段を含み、散水動作間の時間間隔を、太陽電池パネルの出力電力値の定格出力電力値に対する比が大きくなるほど短くなるように決定することが好ましい。
【００２２】
また、本発明の太陽光発電システムでは、記憶手段は、定格出力電流または定格出力電力に加えて定格出力電圧値をさらに記憶し、制御手段は、太陽電池パネルの出力電圧値の定格出力電圧値に対する比を算出し、散水動作間の時間間隔を、太陽電池パネルの出力電圧値の定格出力電圧値に対する比が大きくなるほど、長くなるように決定することが好ましい。
【００２３】
また、本発明の太陽光発電システムは、太陽熱温水器と、前記散水手段と共通の給水源から前記太陽熱温水器に給水する手段をさらに備えることが好ましい。
【００２４】
また、本発明の太陽光発電システムでは、前記太陽熱温水器は、前記太陽電池パネルとその外形が同様となるように構成されていることが好ましい。
【００２５】
本発明の太陽光発電システムの制御プログラムは、太陽電池パネルの直流発電電力を交流変換するパワーコンディショナと、太陽電池パネルに対し散水する散水手段とを備えた太陽光発電システムを制御するためのプログラムであって、コンピュータにより読取可能であり、コンピュータに、太陽電池パネルからパワーコンディショナに入力される電力に関する検出出力に基づいて、散水手段の散水態様を制御させる。
【００２６】
本発明によれば、太陽電池パネルの温度を検出する温度センサ等の部材を必要としない。これにより、太陽光発電システムにおいて、当該部材のためのコストの上昇を回避できる。
【００２７】
また、パワーコンディショナに入力される電力に関する検出出力に基づいて散水手段の散水態様が制御されるため、太陽電池パネルの温度に基づく制御と比較して、太陽電池パネルの発電動作に沿った散水手段の制御が可能となり、実用的な制御が可能となる。これによって、夜間や雨天時など、日射量が少なく、太陽電池パネル１１による太陽光発電が活発ではない（または、行なわれていない）状況下での無駄な散水を回避できる。
【発明を実施するための最良の形態】
【００２８】
以下、本発明の実施の形態について、図面を参照しつつ説明する。なお、図中同一符号は同一または相当する部材を示し、重複する説明は繰返さない。
【００２９】
［１．第１の実施の形態］
［１−１．太陽光発電システムの構成］
図１は、本発明の第１の実施の形態である太陽光発電システムを構成する太陽電池パネルおよびその周辺部材の外観を示す図である。
【００３０】
図１を参照して、太陽光発電システムでは、屋根面Ｒ１に、複数の太陽電池パネル１１を含む太陽電池ユニット１が設置されている。
【００３１】
本実施の形態の太陽電池ユニット１では、太陽電池パネル１１は、縦方向に３枚、横方向に４枚、並べられて構成されているが、縦方向および横方向に並べられる枚数は、これに限定されない。
【００３２】
そして、太陽電池ユニット１では、最も下方に取付けられた太陽電池パネル１１の下方には、化粧カバー１０が設けられている。
【００３３】
また、太陽電池ユニット１では、太陽電池パネル１１の上方に、散水装置１３が設けられている。散水装置１３は、太陽電池パネル１１に対して冷却等のために散水を行なうために設けられている。散水装置１３には、図示せぬ給水源から水を供給するための配管３０が接続されている。
【００３４】
太陽電池パネル１１の発電によって生じた電力は、ケーブル４５Ａ，４５Ｂを介して、屋根面Ｒ１から離間した場所に設置されているパワーコンディショナ（後述するパワーコンディショナ２）へと送られる。パワーコンディショナとは、太陽電池パネル１１の発電電力が最大となるように動作電圧を調整しつつ、所定の電圧へのＤＣ（直流）／ＤＣ変換やＤＣ／ＡＣ（交流）変換を行なう装置である。
【００３５】
散水装置１３は、たとえば市販のプラスチック製の散水チューブによって構成され、その前面に水を噴出するための複数の開口を形成されている。上記開口は、たとえば、５ｃｍおきに形成される。散水装置１３からの散水のＯＮ／ＯＦＦは、後述する電磁弁３の開閉が切換えられることにより、切換えられる。
【００３６】
図２は、散水装置１３の設置態様を説明するための図である。図２に示されるように、散水装置１３は、横桟１５に取付けられた固定用金具１３Ａに固定されることにより、横桟１５に固定される。
【００３７】
散水装置１３からの散水のＯＮ／ＯＦＦを切換える電磁弁３は、たとえば、地上付近に設けられている。電磁弁３は、たとえば、太陽電池ユニット１が設置されている建物の壁面のＡＣ１００Ｖ電源に接続されており、パワーコンディショナ２からの無線等による信号を受信して動作する。電磁弁３は、ノーマルクローズ（電圧を印加しなければ閉じている状態）である。
【００３８】
太陽電池ユニット１では、上下方向に隣り合う太陽電池パネル１１同士の隙間には、散水装置１３から散水された水を下方の太陽電池パネル１１へと流すために、ブチルゴム等の対候性材料からなるゴムテープ１７が貼られている。
【００３９】
図３に、ゴムテープ１７が貼付けられた部分の縦断面を模式的に示す。太陽電池ユニット１では、太陽電池パネル１１の下には、縦桟１６および横桟１５が設置されている。そして、太陽電池パネル１１の縦方向の連結部分には、横桟１５を構成する複数の部材１５Ａ，１５Ｂの中の、部材１５Ａの上端に生じた空間１５Ｘを塞ぐように、ゴムテープ１７が貼られている。これにより、散水装置１３から散水され、上から下へと流れる水が、隣接する太陽電池パネル１１の間の隙間に落ち込むことを回避できる。
【００４０】
図４に、屋根面Ｒ１に、太陽電池パネル１１が設置される前段階である、縦桟１６と横桟１５とが取付けられている状態を示す。
【００４１】
図１および図４を参照して、屋根面Ｒ１への太陽電池ユニット１の設置に際しては、まず、屋根面Ｒ１に、縦桟１６がねじ留めされる。そして、縦桟１６の上に、横桟１５が固定金具やねじで固定される。そして、化粧カバー１０が横桟１５に取付けられる。
【００４２】
そして、図１に示した１２枚の太陽電池パネル１１のうち、左下端の太陽電池パネル１１が横桟１５に固定される。次に、当該太陽電池パネル１１の右隣に、２枚目の太陽電池パネル１１が横桟１５に固定される。このとき、１枚目の太陽電池パネル１１から出ているプラス側の出力ケーブルと２枚の太陽電池パネル１１から出ているマイナス側の出力ケーブルが接続される。
【００４３】
次に、２枚目の太陽電池パネル１１の右隣に３枚目の太陽電池パネル１１を固定し、その右隣に４枚目の太陽電池パネル１１を固定する。新しく固定される太陽電池パネル１１のマイナス側の出力ケーブルは、その前に固定された太陽電池パネル１１のプラス側の出力ケーブルと接続される。
【００４４】
４枚目の太陽電池パネル１１の真上の、つまり、２段目の右端の太陽電池パネル１１が、５枚目の太陽電池パネルとして横桟１５に固定される。その後、左隣に、順次６枚目〜８枚目の太陽電池パネル１１が横桟１５に固定される。
【００４５】
８枚目の太陽電池パネル１１の真上の、つまり、左上端の太陽電池パネル１１が、９枚目の太陽電池パネル１１として横桟１５に固定される。
【００４６】
そして、右隣に、１０枚目〜１２枚目の太陽電池パネル１１が順次横桟１５に固定される。
【００４７】
以上より、１２枚の太陽電池パネル１１が、電気的に直列に接続される。
そして、１枚目の太陽電池パネル１１から出ているマイナス側の出力ケーブルとケーブル４５Ａが、１２枚目の太陽電池パネル１１から出ているプラス側の出力ケーブルとケーブル４５Ｂが、それぞれ接続される。
【００４８】
図５は、太陽電池パネル１１の斜視図である。
図５を参照して、太陽電池パネル１１は、その外殻をアルミニウム製の部材で覆われ、複数の太陽電池セル１１Ａを内包している。各太陽電池セル１１Ａは、たとえば、外形を１５５ｍｍ角とされ、厚みを２００μｍとされる。また、太陽電池パネル１１は、裏面保護フィルム（たとえば、ＰＥＴ（ポリエチレンテレフタレート）フィルム）、封止め樹脂（たとえば、ＥＶＡ（エチレンビニルアセテート））、ガラス−枠間緩衝材（エラストマー）を含む。
【００４９】
太陽電池パネル１１では、外枠の部材に強化ガラスが嵌め込まれている。強化ガラスの表面には、たとえば酸化チタンなどの、太陽電池パネル１１の表面を親水性に加工するためのコーティングが施されている。
【００５０】
なお、太陽電池パネル１１には、上述したようにプラス側の出力ケーブルとマイナス側の出力ケーブルを備えるが、図５ではこれらの図示は省略されている。
【００５１】
また、上記した太陽電池パネル１１の構成は、一例であって、本発明に利用される太陽電池パネル１１の構成は、これに限定されるものではない。
【００５２】
図６は、本実施の形態の太陽電池発電システムの制御ブロック図である。図６では、直列に接続された複数の太陽電池パネル１１は、１つにまとめられて記載されている。
【００５３】
図６を参照して、太陽電池パネル１１で発電された電力は、逆流防止素子４１および直流側遮断器４２を介して、パワーコンディショナ２のノイズフィルタ２１に導かれる。
【００５４】
そして、当該電力は、ノイズフィルタ２１によりノイズを除去され、その後、発電量測定部２２で、当該電力の電力量を測定される。そして、変換部２５で直流電力から交流電力に変換された後、当該電力は、分電盤５を介して負荷６に供給される。また、当該電力は、電力メータ７を介して電力会社への電力の売却が可能とされている。
【００５５】
電力メータ７は、売電用電力メータ７１と買電用電力メータ７２を含む。本実施の形態の太陽電池発電システムは、太陽電池パネル１１からの供給電力が負荷６の消費電力よりも多いときは、分電盤５から売電用電力メータ７１を通して電力会社へ電力を売却し、また、負荷６の消費電力が太陽電池パネル１１からの供給電力よりも多いときは、買電用電力メータ７２を通して電力会社から電力を購入する、系統連系運転が可能に構成されている。
【００５６】
パワーコンディショナ２は、太陽光発電により発電された電力の変換等を行なう制御部２Ａと、当該制御部２Ａに対して電力の供給を行なう電源回路２０を含む。
【００５７】
制御部２Ａは、当該制御部２Ａの動作を全体的に制御する中央処理部２６を含む。中央処理部２６は、たとえば記憶部２８に記憶されたプログラムを実行することにより種々の制御動作を実行する。
【００５８】
なお、記憶部２８へのプログラムの記録は、制御部２内の図示せぬドライブを介して、パワーコンディショナ２に対して着脱可能に構成された記録媒体からインストールされることによって行なわれても良いし、通信処理部２９を介して、ネットワーク上のプログラムがダウンロードされることによって行なわれても良い。
【００５９】
また、制御部２Ａには、外部の機器との通信を行なうための通信処理部２９を含む。パワーコンディショナ２は、通信処理部２９を介して、リモートコントローラ（リモコン）９との通信が可能である。
【００６０】
本実施の形態の太陽光発電システムでは、中央処理部２６は、リモコン９から入力される情報等に基づいて、上記した系統連系運転と自立運転との間で、運転態様を切換えることができる。
【００６１】
［１−２．散水制御に用いられる情報］
本実施の形態の太陽光発電システムでは、中央処理部２６は、発電量測定部２２が太陽電池パネル１１から供給される電力に関する検出値に基づいて、電磁弁３の開閉を制御する。
【００６２】
本実施の形態では、中央処理部２６は、一定時間ごとに、発電量測定部２２によって測定される、１２枚の太陽電池パネル１１の発電による出力電流値（Ｉ）を取得する。記憶部２８には、１２枚の太陽電池パネル１１の定格出力電流値（Ｉｐｍ）が記憶されている。出力電流値とは、太陽電池パネル１１における発電時に瞬間的にケーブル４５Ａ等に流れる電流値である。定格出力電流値とは、所定の状況下（たとえば、日射量１ｋＷ／ｍ２、太陽電池セル１１Ａの温度が２５℃）での、最大出力電力を出す時の電流値である。定格出力電流値は、たとえば、リモコン９が操作されることによって制御部２Ａに入力され、そして、記憶部２８で記憶される。
【００６３】
また、記憶部２８には、太陽電池パネル１１の出力電流値（Ｉ）の定格出力電流値（Ｉｐｍ）に対する比（Ｉ／Ｉｐｍ）に基づいた電磁弁３の動作条件が、表１に示すような情報として記憶されている。
【００６４】
【表１】
2010129677.tif 000003
【００６５】
表１によれば、Ｉ／Ｉｐｍが０．３未満の場合には電磁弁３は閉状態とされ、Ｉ／Ｉｐｍが０．３以上の場合には電磁弁３は開状態とされる。
【００６６】
つまり、本実施の形態では、Ｉ／Ｉｐｍの値が特定の値未満では散水装置１３による散水は行なわれず、当該値が特定の以上となれば散水が行なわれることとなる。
【００６７】
さらに、記憶部２８には、上記「Ｉ／Ｉｐｍ」に基づいた、１回の電磁弁３の散水動作における散水時間が、表２に示すような情報として記憶されている。
【００６８】
【表２】
2010129677.tif 000004
【００６９】
表２によれば、Ｉ／Ｉｐｍが０．３未満の場合には散水は行なわれず、Ｉ／Ｉｐｍが０．３以上０．５未満の場合には散水時間は２．５秒とされ、Ｉ／Ｉｐｍが０．５以上０．７未満の場合には散水時間は５．０秒とされ、Ｉ／Ｉｐｍが０．７以上０．９未満の場合には散水時間は７．５秒とされ、そして、Ｉ／Ｉｐｍが０．９以上の場合には散水時間は１０．０秒とされる。
【００７０】
また、記憶部２８には、表２の上記「Ｉ／Ｉｐｍ」に基づいた散水時間に対する、太陽電池パネル１１の上下方向（散水された水が流れる方向）の設置枚数に対応した定数が、表３に示すような情報として記憶されている。
【００７１】
【表３】
2010129677.tif 000005
【００７２】
表３によれば、設置枚数が１枚の場合には散水時間定数は１．０とされ、設置枚数が２枚の場合には散水時間定数は２．０とされ、設置枚数が３枚の場合には散水時間定数は２．７とされ、設置枚数が４枚の場合には散水時間定数は３．６とされ、設置枚数が５枚の場合には散水時間定数は４．０とされ、設置枚数が６枚の場合には散水時間定数は４．８とされ、設置枚数が７枚の場合には散水時間定数は４．９とされ、設置枚数が８枚の場合には散水時間定数は５．４とされ、設置枚数が９枚の場合には散水時間定数は５．６とされ、そして、設置枚数が１０枚以上の場合には散水時間定数は６．０とされる。
【００７３】
本実施の形態では、後述するように、１回の散水動作の散水時間は、表２に示したような散水時間と表３に示したような散水時間定数との積とされる。
【００７４】
つまり、本実施の形態では、Ｉ／Ｉｐｍの値が大きくなるほど、１回の散水動作における散水時間が長くなり、また、散水装置１３から散水される水の流れる方向に設置される太陽電池パネル１１の枚数が多いほど、１回の散水動作における散水時間が長くなる。
【００７５】
また、記憶部２８には、上記「Ｉ／Ｉｐｍ」に基づいた、散水動作のインターバルが、表４に示されるような情報として記憶されている。なお、本実施の形態におけるインターバルとは、散水動作間の時間間隔であり、具体的には、ある散水動作と次の散水動作までの時間間隔である。
【００７６】
【表４】
2010129677.tif 000006
【００７７】
表４によれば、散水動作のインターバルは、Ｉ／Ｉｐｍの値が０．１未満であれば３０分とされ、Ｉ／Ｉｐｍの値が０．１以上０．３未満であれば１５分とされ、Ｉ／Ｉｐｍの値が０．３以上０．５未満であれば１２．５分とされ、Ｉ／Ｉｐｍの値が０．５以上０．７未満であれば１０分とされ、Ｉ／Ｉｐｍの値が０．７以上０．９未満であれば７．５分とされ、そして、Ｉ／Ｉｐｍの値が０．９以上であれば５分とされる。
【００７８】
つまり、本実施の形態では、Ｉ／Ｉｐｍの値が大きくなるほど、散水動作のインターバルが短くなる。
【００７９】
［１−３．散水制御の内容］
中央処理部２６は、表１〜表４に示したような情報を用いて、電磁弁３の開閉動作を制御する。このような制御処理（電磁弁制御処理）のフローチャートを、図７に示す。
【００８０】
図７を参照して、中央処理部２６は、まずステップＳＡ１０で、太陽電池パネル１１の出力電力値（Ｉ）を発電量測定部２２から取得し、これにより、定格出力電流値（Ｉｐｍ）に対する比である「Ｉ／Ｉｐｍ」を算出して、ステップＳＡ２０へ処理を進める。
【００８１】
ステップＳＡ２０では、中央処理部２６は、表１に示した動作条件から、ステップＳＡ１０で算出したＩ／Ｉｐｍに対応する開閉制御内容（開または閉）を取得して、ステップＳＡ３０へ処理を進める。
【００８２】
ステップＳＡ３０では、中央処理部２６は、表２に示した散水時間から、ステップＳＡ１０で算出したＩ／Ｉｐｍに対応する散水時間を取得して、ステップＳＡ４０へ処理を進める。
【００８３】
ステップＳＡ４０では、中央処理部２６は、表３に示した散水時間定数から、太陽電池パネル１１の設置枚数に対応する散水時間定数を取得して、ステップＳＡ５０へ処理を進める。太陽電池パネル１１の設置枚数は、たとえばリモコン９を介して制御部２Ａに入力され、記憶部２８に記憶される。
【００８４】
ステップＳＡ５０では、中央処理部２６は、表４に示したインターバルから、ステップＳＡ１０で算出したＩ／Ｉｐｍに対応するインターバルを取得して、ステップＳＡ６０へ処理を進める。
【００８５】
ステップＳＡ６０では、中央処理部２６は、ステップＳＡ２０〜ステップＳＡ５０で取得した情報（開閉制御内容、散水時間、散水時間定数、インターバル）に基づいて、電磁弁３の開閉を制御して、ステップＳＡ１０へ処理を戻す。
【００８６】
本実施の形態における電磁弁３の開閉制御は、「開閉制御内容」が「開」である場合に、「散水時間」と「散水時間定数」の積として求められる時間だけ、電磁弁３を開状態とし、その後インターバル（表４参照）の時間だけ電磁弁３を「閉」に維持することにより、実現される。
【００８７】
ここで、太陽電池パネル１１の上下方向の設置枚数が「３」、Ｉ／Ｉｐｍが０．５である場合の、電磁弁３の開閉制御の具体例を説明する。
【００８８】
この場合、表１〜表４より、開閉制御内容は「開」であり、散水時間は「５．０秒」であり、散水時間定数は「４．０」であり、インターバルは「１０分」である。よって、電磁弁３の開閉制御として、（５．０×４．０＝）２０秒間、電磁弁３が開状態とされた後、１０分間は閉状態とされる。これにより、太陽光発電システムでは、２０秒間、散水装置１３によって散水が行なわれ、その後１０分間は散水が停止される。
【００８９】
なお、中央処理部２６は、一定時間（たとえば、後述するインターバル）ごとに、図７に示した電磁弁制御処理を実行する。
【００９０】
図７の電磁弁制御処理が繰り返される中で、ステップＳＡ１０において算出されるＩ／Ｉｐｍの値が変化することにより、表１〜表４に従って、電磁弁３の開閉制御の内容が変更される。
【００９１】
以上説明した電磁弁制御処理によれば、太陽光発電システムにおいて、一定時間ごとに、太陽電池パネル１１の発電による出力電流値が検出され、当該出力電流値の定格出力電流値（Ｉｐｍ）に対する比が算出される。
【００９２】
一方、記憶部２８には、「Ｉ／Ｉｐｍ」の値に対応して、電磁弁３が制御されるべき開閉状態（開状態または閉状態）が記憶されている（表１参照）。
【００９３】
そして、本実施の形態では、一定時間ごとに「Ｉ／Ｉｐｍ」が算出され、そして、算出された値に基づいて、電磁弁３の開閉動作が制御される。
【００９４】
Ｉ／Ｉｐｍは、日射強度（単位：ｋＷ／ｍ2）にほぼ一致し、夜間は０、雨天は０〜０．２、曇天時は０．２〜０．５、晴天時は０．５〜１．１というような推測が高精度で可能である。このため、これを散水装置１３による散水動作を行なうか否かの判断の指標として採用している。これにより、夜間や雨天時に散水する無駄を回避し、天候に応じて散水することが可能となる。
【００９５】
なお、以上説明した電磁弁制御処理によれば、電磁弁３は断続的に開閉される。これにより、無駄な散水が回避される。つまり、散水時間を０から徐々に増加させると、当該散水による太陽電池パネル１１の冷却能力は散水時間の増加に伴って上昇すると考えられる。しかしながら、その冷却能力は、どこかで飽和する。本実施の形態では、当該冷却能力が飽和すると考えられる散水時間またはその点に近いと考えられる散水時間だけ電磁弁３を開状態とし、その後、閉状態としている。よって、目標とする散水能力を得るための散水時間を最小限に抑えることができ、無駄な散水を回避できる。
【００９６】
［１−４．変形例等］
以上説明した本実施の形態では、中央処理部２６は、発電量測定部２２が太陽電池パネル１１から供給される電力に関する検出値に基づいて、電磁弁３の開閉制御を行なったが、当該電磁弁３の開閉動作は、リモコン９に対してなされたユーザによる操作に基づいても行なわれてもよい。これにより、散水装置１３は、太陽電池パネル１１の冷却だけでなく、融雪のために散水装置１３に散水させたり、また、ユーザが任意のときに任意の量や時間だけ散水装置１３に散水させることができる。
【００９７】
また、以上説明した本実施の形態では、電磁弁３は、電源回路２０から電力を供給され、中央処理部２６が、直接電磁弁３の開閉を切換えている。なお、電磁弁３が、他の電源から電力を供給され、また、他の制御装置によって動作を制御する場合には、中央処理部２６は、直接電磁弁３の開閉を切換える代わりに、当該制御装置に対して電磁弁３の開閉状態を指定する（開閉を切換える）信号を送信しても良い。
【００９８】
また、定格出力電流値（Ｉｐｍ）の代わりに、定格短絡電流（Ｉｓｃ）が用いられてもよい。なお、定格短絡電流とは、日射量１ｋＷ／ｍ2、太陽電池セルの温度２５℃において、電圧が０となるときの電流値である。Ｉ／Ｉｓｃは、Ｉ／Ｉｐｍより若干小さい値をとるものの、日射強度に対して同様の傾向を有すると考えられるからである。
【００９９】
また、太陽電池パネル１１の縦方向の隙間は、ゴムテープ１７の代わりに、図８に示すように、ブチルゴム等の対候性材料からなるゴムパッキン１７Ａで埋められても良い。ゴムパッキン１７Ａは、部材１５Ａに嵌め込まれる構造を有し、より確実に、太陽電池パネル１１の間の隙間に散水装置１３からの水が落ち込むことを回避できる。
【０１００】
また、以上説明した本実施の形態では、パワーコンディショナ２は、常時電源をオンされた状態でも良いし、リモコン９から電源をオンするための情報を入力されたことによって電源をオンされても良い。また、パワーコンディショナ２は、発電量測定部２２で測定される発電量を監視する手段をさらに備え、当該監視手段によって電源のオン／オフを切換えられても良い。当該監視手段は、上記測定される発電量が所定の値以上となったことに基づいて電源をオンし、所定の値未満となったことに応じて電源をオフする。
【０１０１】
［２．第２の実施の形態］
図９は、本発明の太陽光発電システムの第２の実施の形態を構成する太陽電池パネルおよびその周辺の部材の外観を示す図である。
【０１０２】
図９を参照して、本実施の形態では、屋根面Ｒ１上の太陽電池ユニット１の近傍の屋根面Ｒ２上に、さらに、太陽熱温水器が設けられている。また、電磁弁３は、散水装置１３の近傍に設置してあり、パワーコンディショナ２に接続される電圧ケーブル３３に接続されている。
【０１０３】
太陽熱温水器は、太陽熱温水パネル３５と、貯湯槽３６と、当該貯湯槽３６への給水に利用される配管３１と、そこから、図示せぬ補助加熱装置へと温水を送るために利用される配管３２とを含む。
【０１０４】
配管３１は、散水装置１３にも接続されている。給水源から配管３１内を送られた水は、その一部が、散水装置１３へと導入される。つまり、本実施の形態の太陽光発電システムでは、太陽電池パネル１１への給水と太陽熱温水器への給水について、少なくとも一部の配管を共通させることができる。
【０１０５】
よって、太陽電池パネル１１と太陽熱温水パネル３５とを供えるシステムにおいて、必要とされる配管を削減でき、低コスト化が可能となる。
【０１０６】
［３．第３の実施の形態］
図１０は、本発明の太陽光発電システムの第３の実施の形態を構成する太陽電池パネルおよびその周辺の部材の外観を示す図である。
【０１０７】
図１０を参照して、本実施の形態の太陽光発電システムでは、太陽電池パネル１１と太陽熱温水パネル３５とが、同じ屋根面Ｒ１に設置されている。
【０１０８】
なお、本実施の形態では、図１１（Ａ）に示す太陽熱温水パネル３５は、図１１（Ｂ）に示される太陽電池パネル１１と、その外形が同様となるように、つまり、外形の寸法がほぼ同一となるように、構成されている。これにより、太陽熱温水パネル３５を、太陽電池パネル１１と共通の設置用具（縦桟１６，横桟１５等）を用いて、屋根面Ｒ１上に設置できる。したがって、太陽電池パネル１１と太陽熱温水パネル３５を、利用者の希望する数ずつ組合せて太陽光発電システムを構成する際に、特に設計変更等をすることなく、太陽光発電システムを構成できる。
【０１０９】
［４．第４の実施の形態］
図１２は、本発明の太陽光発電システムの第４の実施の形態を構成する太陽電池パネルおよびその周辺の部材の外観を示す図である。本実施の形態では、太陽電池パネル１１は、屋根面Ｒ１に嵌め込まれている。図１３に、図１２のＡ−Ａ線に沿う矢視断面図を示す。
【０１１０】
図１２および図１３を参照して、本実施の形態では、太陽電池パネル１１の外郭は、表面を親水性に加工された強化ガラスで覆われている。当該ガラスは、太陽電池セル１１Ａおよび当該セルにおいて発電する電力を伝送等するための配線を内包している。
【０１１１】
本実施の形態によれば、建物の屋根面として、太陽電池パネル１１を利用することができる。
【０１１２】
［５．第５の実施の形態］
［５−１．太陽光発電システムの構成］
本実施の形態の太陽光発電システムを構成は、第１の実施の形態と同様のものとすることができるため、ここでは説明を繰り返さない。
【０１１３】
［５−２．散水制御に用いられる情報］
本実施の形態では、中央処理部２６は、一定時間ごとに、発電量測定部２２によって測定される、１２枚の太陽電池パネル１１の発電による出力電力値（Ｐ）を取得する。記憶部２８には、１２枚の太陽電池パネル１１の発電による定格出力電力値（Ｐｍ）が記憶されている。定格出力電力値は、たとえば、リモコン９が操作されることによって制御部２Ａに入力され、そして、記憶部２８で記憶される。
【０１１４】
また、記憶部２８には、太陽電池パネル１１の出力電力値（Ｐ）の定格出力電力値（Ｐｍ）に対する比（Ｐ／Ｐｍ）に基づいた電磁弁３の動作条件が、表５に示すような情報として記憶されている。
【０１１５】
【表５】
2010129677.tif 000007
【０１１６】
表５によれば、Ｐ／Ｐｍが０．３未満の場合には電磁弁３は閉状態とされ、Ｐ／Ｐｍが０．３以上の場合には電磁弁３は開状態とされる。
【０１１７】
つまり、本実施の形態では、Ｐ／Ｐｍの値が特定の値未満では散水装置１３による散水は行なわれず、当該値が特定の以上となれば散水が行なわれることとなる。
【０１１８】
また、記憶部２８には、上記「Ｐ／Ｐｍ」に基づいた、１回の電磁弁３の散水動作における散水時間が、表６に示すような情報として記憶されている。
【０１１９】
【表６】
2010129677.tif 000008
【０１２０】
表６によれば、Ｐ／Ｐｍが０．３未満の場合には散水は行なわれず、Ｐ／Ｐｍが０．３以上０．５未満の場合には散水時間は２．５秒とされ、Ｐ／Ｐｍが０．５以上０．７未満の場合には散水時間は５．０秒とされ、Ｐ／Ｐｍが０．７以上０．９未満の場合には散水時間は７．５秒とされ、そして、Ｐ／Ｐｍが０．９以上の場合には散水時間は１０．０秒とされる。
【０１２１】
また、記憶部２８には、表６の上記「Ｐ／Ｐｍ」に基づいた散水時間に対する、太陽電池パネル１１の上下方向（散水された水が流れる方向）の設置枚数に対応した定数が、表３に示したような情報として記憶されている。
【０１２２】
本実施の形態では、後述するように、１回の散水動作の散水時間は、表６に示したような散水時間と表３に示したような散水時間定数との積とされる。つまり、本実施の形態では、Ｐ／Ｐｍの値が大きくなるほど、１回の散水動作における散水時間が長くなり、また、散水装置１３から散水される水の流れる方向に設置される太陽電池パネル１１の枚数が多いほど、１回の散水動作における散水時間が長くなる。
【０１２３】
また、記憶部２８には、上記「Ｐ／Ｐｍ」に基づいた、散水動作のインターバルが、表７に示されるような情報として記憶されている。
【０１２４】
【表７】
2010129677.tif 000009
【０１２５】
表７によれば、散水動作のインターバルは、Ｐ／Ｐｍの値が０．１未満であれば３０分とされ、Ｐ／Ｐｍの値が０．１以上０．３未満であれば１５分とされ、Ｐ／Ｐｍの値が０．３以上０．５未満であれば１２．５分とされ、Ｐ／Ｐｍの値が０．５以上０．７未満であれば１０分とされ、Ｐ／Ｐｍの値が０．７以上０．９未満であれば７．５分とされ、そして、Ｐ／Ｐｍの値が０．９以上であれば５分とされる。
【０１２６】
つまり、本実施の形態では、Ｐ／Ｐｍの値が大きくなるほど、散水動作のインターバルが短くなる。
【０１２７】
［５−３．散水制御の内容］
中央処理部２６は、表３，表５〜表７に示したような情報を用いて、電磁弁３の開閉動作を制御する。このような制御処理（電磁弁制御処理）のフローチャートを、図１４に示す。
【０１２８】
図１４を参照して、中央処理部２６は、まずステップＳＢ１０で、太陽電池パネル１１の出力電力値（Ｐ）を発電量測定部２２から取得し、これにより、定格出力電力値（Ｐｍ）に対する比である「Ｐ／Ｐｍ」を算出して、ステップＳＢ２０へ処理を進める。
【０１２９】
ステップＳＢ２０では、中央処理部２６は、表５に示した動作条件から、ステップＳＢ１０で算出したＰ／Ｐｍに対応する開閉制御内容（開または閉）を取得して、ステップＳＢ３０へ処理を進める。
【０１３０】
ステップＳＢ３０では、中央処理部２６は、表６に示した散水時間から、ステップＳＢ１０で算出したＰ／Ｐｍに対応する散水時間を取得して、ステップＳＢ４０へ処理を進める。
【０１３１】
ステップＳＢ４０では、中央処理部２６は、表３に示した散水時間定数から、太陽電池パネル１１の設置枚数に対応する散水時間定数を取得して、ステップＳＢ５０へ処理を進める。太陽電池パネル１１の設置枚数は、たとえばリモコン９を介して制御部２Ａに入力され、記憶部２８に記憶される。
【０１３２】
ステップＳＢ５０では、中央処理部２６は、表７に示したインターバルから、ステップＳＢ１０で算出したＰ／Ｐｍに対応するインターバルを取得して、ステップＳＢ６０へ処理を進める。
【０１３３】
ステップＳＢ６０では、中央処理部２６は、ステップＳＢ２０〜ステップＳＢ５０で取得した情報（開閉制御内容、散水時間、散水時間定数、インターバル）に基づいて、電磁弁３の開閉を制御して、ステップＳＢ１０へ処理を戻す。
【０１３４】
本実施の形態における電磁弁３の開閉制御は、「開閉制御内容」が「開」である場合に、「散水時間」と「散水時間定数」の積として求められる時間だけ、電磁弁３を開状態とし、その後インターバル（表７参照）の時間だけ電磁弁３を「閉」に維持することにより、実現される。
【０１３５】
ここで、太陽電池パネル１１の上下方向の設置枚数が「３」、Ｐ／Ｐｍが０．５である場合の、電磁弁３の開閉制御の具体例を説明する。
【０１３６】
この場合、表３，表５〜表７より、開閉制御内容は「開」であり、散水時間は「５．０秒」であり、散水時間定数は「４．０」であり、インターバルは「１０分」である。よって、電磁弁３の開閉制御として、（５．０×４．０＝）２０秒間、電磁弁３が開状態とされた後、１０分間は閉状態とされる。これにより、太陽光発電システムでは、２０秒間、散水装置１３によって散水が行なわれ、その後１０分間は散水が停止される。
【０１３７】
なお、中央処理部２６は、一定時間ごとに、図１４に示した電磁弁制御処理を実行する。
【０１３８】
図１４の電磁弁制御処理が繰り返される中で、ステップＳＢ１０において算出されるＰ／Ｐｍの値が変化することにより、表３，表５〜表７に従って、電磁弁３の開閉制御の内容が変更される。
【０１３９】
以上説明した電磁弁制御処理によれば、太陽光発電システムにおいて、一定時間ごとに、太陽電池パネル１１の発電による出力電力値が検出され、当該出力電力値の定格出力電力値（Ｐｍ）に対する比が算出される。
【０１４０】
一方、記憶部２８には、「Ｐ／Ｐｍ」の値に対応して、電磁弁３が制御されるべき開閉状態（開状態または閉状態）が記憶されている（表５参照）。
【０１４１】
そして、本実施の形態では、一定時間ごとに「Ｐ／Ｐｍ」が算出され、そして、算出された値に基づいて、電磁弁３の開閉動作が制御される。
【０１４２】
Ｐ／Ｐｍは、第１の実施の形態において言及したＩ／Ｉｐｍと同様に、日射強度（単位：ｋＷ／ｍ2）にほぼ比例する。よって、本実施の形態の散水制御によれば、夜間や雨天時に散水する無駄を回避し、天候に応じて散水することが可能となる。
【０１４３】
［６．第６の実施の形態］
［６−１．太陽光発電システムの構成］
本実施の形態の太陽光発電システムを構成は、第１の実施の形態と同様のものとすることができるため、ここでは説明を繰り返さない。
【０１４４】
［６−２．散水制御に用いられる情報］
本実施の形態の太陽光発電システムでは、中央処理部２６は、発電量測定部２２が太陽電池パネル１１から供給される電力に関する検出値に基づいて、電磁弁３の開閉を制御する。
【０１４５】
本実施の形態では、中央処理部２６は、一定時間ごとに、発電量測定部２２によって測定される、１２枚の太陽電池パネル１１の発電による出力電圧値（Ｖ）および出力電流値（Ｉ）を取得する。記憶部２８には、１２枚の太陽電池パネル１１の定格出力電圧値（Ｖｐｍ）および定格出力電流値（Ｉｐｍ）が記憶されている。定格出力電圧値とは、所定の状況下（たとえば、日射量１ｋＷ／ｍ２、太陽電池セル１１Ａの温度が２５℃）での、最大出力電力を出す時の電圧値である。定格出力電圧値および定格出力電流値は、たとえば、リモコン９が操作されることによって制御部２Ａに入力され、そして、記憶部２８で記憶される。
【０１４６】
本実施の形態では、太陽電池パネル１１の、出力電圧値（Ｖ）の定格出力電流値（Ｖｐｍ）に対する比（Ｖ／Ｖｐｍ）と、出力電流値（Ｉ）の定格出力電流値（Ｉｐｍ）に対する比（Ｉ／Ｉｐｍ）が、制御に利用される。
【０１４７】
Ｖ／Ｖｐｍの日射強度に対する依存性について説明する。日射強度が０ｋＷ／ｍ２である場合、Ｖ／Ｖｐｍも０となる。その後、Ｖ／Ｖｐｍは、日射強度の上昇と共に上昇するが、日射強度がある一定の範囲（たとえば、０．０５ｋＷ／ｍ２付近程度）にあるときに急速に立ち上がり、その後は緩やかな傾きで増加する。
【０１４８】
Ｖ／Ｖｐｍの温度に対する依存性について説明する。Ｖ／Ｖｐｍは、太陽電池セル近傍の温度上昇とともに緩やかに低下する直線で近似される。その結果、晴天日の高温時と雨天日の低温時では、Ｖ／Ｖｐｍは近い値をとり得る。よって、Ｖ／Ｖｐｍのみから天候やセル温度を高精度で推測する事は難しい。しかし、Ｉ／ＩｐｍやＰ／Ｐｍなどのパラメータと併用する事により、非常に的確な推測が可能となる。
【０１４９】
記憶部２８には、Ｖ／ＶｐｍおよびＩ／Ｉｐｍに基づいた電磁弁３の動作条件が、表８に示すような情報として記憶されている。
【０１５０】
【表８】
2010129677.tif 000010
【０１５１】
表８によれば、Ｉ／Ｉｐｍが０．３未満の場合には電磁弁３は閉状態とされる。
Ｉ／Ｉｐｍが０．３以上０．５未満の場合、Ｖ／Ｖｐｍが１．００未満であれば電磁弁３は開状態とされ、Ｖ／Ｖｐｍが１．００以上であれば電磁弁３は閉状態とされる。
【０１５２】
Ｉ／Ｉｐｍが０．５以上０．７未満の場合、Ｖ／Ｖｐｍが１．０３未満であれば電磁弁３は開状態とされ、Ｖ／Ｖｐｍが１．０３以上であれば電磁弁３は閉状態とされる。
【０１５３】
Ｉ／Ｉｐｍが０．７以上０．９未満の場合、Ｖ／Ｖｐｍが１．０５未満であれば電磁弁３は開状態とされ、Ｖ／Ｖｐｍが１．０５以上であれば電磁弁３は閉状態とされる。
【０１５４】
Ｉ／Ｉｐｍが０．９以上の場合、Ｖ／Ｖｐｍが１．０７未満であれば電磁弁３は開状態とされ、Ｖ／Ｖｐｍが１．０７以上であれば電磁弁３は閉状態とされる。
【０１５５】
たとえば、日射強度が０．３ｋＷ／ｍ２で、セル温度が−５℃の場合、Ｉ／Ｉｐｍは約０．３、Ｖ／Ｖｐｍは約１．０３となる。このような場合、第１の実施の形態では、Ｉ／Ｉｐｍだけで判断されると電磁弁３は開かれていた（表１参照）。なお、氷点下における散水は冷却効果を生まない、もしくは生みにくい。よって、ここでは閉とするのが適切である。そして、本実施の形態では、このような場合、閉状態とされる（表８参照）。
【０１５６】
つまり、本実施の形態では、Ｉ／Ｉｐｍの値が同じでも、Ｖ／Ｖｐｍの値が高ければ（太陽電池セル近傍の温度が低いほど）、電磁弁３が閉じられ、散水が行なわれなくなる。このことから、本実施の形態では、温度依存性を有するＶ／Ｖｐｍを、Ｉ／Ｉｐｍと組み合わせることにより、冷却効果が低いと考えられる状況下での散水を回避し、最適な散水の判断が可能となる。
【０１５７】
さらに、記憶部２８には、Ｖ／ＶｐｍとＩ／Ｉｐｍに基づいた、１回の電磁弁３の散水動作における散水時間が、表９に示すような情報として記憶されている。
【０１５８】
【表９】
2010129677.tif 000011
【０１５９】
表９によれば、Ｉ／Ｉｐｍが０．３未満の場合には電磁弁３は開状態とはされない。
Ｉ／Ｉｐｍが０．３以上０．５未満の場合、Ｖ／Ｖｐｍが１．００未満であれば散水時間は２．５秒とされるが、Ｖ／Ｖｐｍが１．００以上であれば電磁弁３は開状態とされない。
【０１６０】
Ｉ／Ｉｐｍが０．５以上０．７未満の場合、Ｖ／Ｖｐｍが１．００未満であれば散水時間は５．０秒とされ、Ｖ／Ｖｐｍが１．００以上１．０３未満であれば散水時間は２．５秒とされ、Ｖ／Ｖｐｍが１．０３以上であれば電磁弁３は開状態とはされない。
【０１６１】
Ｉ／Ｉｐｍが０．７以上０．９未満の場合、Ｖ／Ｖｐｍが１．００未満であれば散水時間は７．５秒とされ、Ｖ／Ｖｐｍが１．００以上１．０３未満であれば散水時間は５．０秒とされ、Ｖ／Ｖｐｍが１．０３以上１．０５未満であれば散水時間は２．５秒とされ、Ｖ／Ｖｐｍが１．０５以上であれば電磁弁３は開状態とはされない。
【０１６２】
Ｉ／Ｉｐｍが０．９以上の場合、Ｖ／Ｖｐｍが１．００未満であれば散水時間は１０．０秒とされ、Ｖ／Ｖｐｍが１．００以上１．０３未満であれば散水時間は７．５秒とされ、Ｖ／Ｖｐｍが１．０３以上１．０５未満であれば散水時間は５．０秒とされ、Ｖ／Ｖｐｍが１．０５以上１．０７未満であれば散水時間は２．５秒とされ、Ｖ／Ｖｐｍが１．０７以上であれば電磁弁３は開状態とはされない。
【０１６３】
本実施の形態では、Ｉ／Ｉｐｍの値が同じでも、Ｖ／Ｖｐｍの値が高ければ（太陽電池セル近傍の温度が低いほど）、１回の散水動作において電磁弁３が開状態とされる時間が短くなる。本実施の形態では、冷却効果が低いと考えられる状況下での散水時間をより短くする制御が可能となる。
【０１６４】
また、記憶部２８には、表９の散水時間に対する、太陽電池パネル１１の上下方向（散水された水が流れる方向）の設置枚数に対応した定数が、表３に示したような情報として記憶されている。
【０１６５】
本実施の形態では、後述するように、１回の散水動作の散水時間は、表９に示したような散水時間と表３に示したような散水時間定数との積とされる。
【０１６６】
また、記憶部２８には、上記Ｖ／ＶｐｍとＩ／Ｉｐｍに基づいた、散水動作のインターバルが、表１０に示されるような情報として記憶されている。
【０１６７】
【表１０】
2010129677.tif 000012
【０１６８】
表１０によれば、Ｉ／Ｉｐｍが０．１未満の場合にはインターバルは３０分とされる。
Ｉ／Ｉｐｍが０．１以上０．３未満の場合、Ｖ／Ｖｐｍが１．００未満であればインターバルは１５分とされ、Ｖ／Ｖｐｍが１．００以上であればインターバルは３０分とされる。
【０１６９】
Ｉ／Ｉｐｍが０．３以上０．５未満の場合、Ｖ／Ｖｐｍが１．００未満であればインターバルは１２．５分とされ、Ｖ／Ｖｐｍが１．００以上１．０３未満であればインターバルは１５分とされ、Ｖ／Ｖｐｍが１．０３以上であればインターバルは３０分とされる。
【０１７０】
Ｉ／Ｉｐｍが０．５以上０．７未満の場合、Ｖ／Ｖｐｍが１．００未満であればインターバルは１０分とされ、Ｖ／Ｖｐｍが１．００以上１．０３未満であればインターバルは１２．５分とされ、Ｖ／Ｖｐｍが１．０３以上１．０５未満であればインターバルは１５分とされ、Ｖ／Ｖｐｍが１．０５以上であればインターバルは３０分とされる。
【０１７１】
Ｉ／Ｉｐｍが０．７以上０．９未満の場合、Ｖ／Ｖｐｍが１．００未満であればインターバルは７．５分とされ、Ｖ／Ｖｐｍが１．００以上１．０３未満であればインターバルは１０分とされ、Ｖ／Ｖｐｍが１．０３以上１．０５未満であればインターバルは１２．５分とされ、Ｖ／Ｖｐｍが１．０５以上１．０７未満であればインターバルは１５分とされ、Ｖ／Ｖｐｍが１．０７以上であればインターバルは３０分とされる。
【０１７２】
Ｉ／Ｉｐｍが０．９以上の場合、Ｖ／Ｖｐｍが１．００未満であればインターバルは５分とされ、Ｖ／Ｖｐｍが１．００以上１．０３未満であればインターバルは７．５分とされ、Ｖ／Ｖｐｍが１．０３以上１．０５未満であればインターバルは１０分とされ、Ｖ／Ｖｐｍが１．０５以上１．０７未満であればインターバルは１２．５分とされ、Ｖ／Ｖｐｍが１．０７以上であればインターバルは１５分とされる。
【０１７３】
本実施の形態では、Ｉ／Ｉｐｍの値が同じでも、Ｖ／Ｖｐｍの値が高いほど、つまり、太陽電池セル近傍の温度が低いと考えられる状態であるほど、インターバルの時間が長くなる。つまり、散水の頻度が低くなる。
【０１７４】
［６−３．散水制御の内容］
中央処理部２６は、表８〜表１０に示したような情報を用いて、電磁弁３の開閉動作を制御する。このような制御処理（電磁弁制御処理）のフローチャートを、図１５に示す。
【０１７５】
図１５を参照して、中央処理部２６は、まずステップＳＣ１０で、太陽電池パネル１１の出力電圧値（Ｖ）および出力電力値（Ｉ）を発電量測定部２２から取得し、これにより、Ｖ／ＶｐｍおよびＩ／Ｉｐｍを算出して、ステップＳＣ２０へ処理を進める。
【０１７６】
ステップＳＣ２０では、中央処理部２６は、表８に示した動作条件から、ステップＳＣ１０で算出したＶ／ＶｐｍおよびＩ／Ｉｐｍに対応する開閉制御内容（開または閉）を取得して、ステップＳＣ３０へ処理を進める。
【０１７７】
ステップＳＣ３０では、中央処理部２６は、表９に示した散水時間から、ステップＳＣ１０で算出したＶ／ＶｐｍおよびＩ／Ｉｐｍに対応する散水時間を取得して、ステップＳＣ４０へ処理を進める。
【０１７８】
ステップＳＣ４０では、中央処理部２６は、表３に示した散水時間定数から、太陽電池パネル１１の設置枚数に対応する散水時間定数を取得して、ステップＳＣ５０へ処理を進める。なお、太陽電池パネル１１の設置枚数は、たとえばリモコン９を介して制御部２Ａに入力され、記憶部２８に記憶される。
【０１７９】
ステップＳＣ５０では、中央処理部２６は、表１０に示したインターバルから、ステップＳＣ１０で算出したＶ／ＶｐｍおよびＩ／Ｉｐｍに対応するインターバルを取得して、ステップＳＣ６０へ処理を進める。
【０１８０】
ステップＳＣ６０では、中央処理部２６は、ステップＳＣ２０〜ステップＳＣ５０で取得した情報（開閉制御内容、散水時間、散水時間定数、インターバル）に基づいて、電磁弁３の開閉を制御して、ステップＳＣ１０へ処理を戻す。
【０１８１】
本実施の形態における電磁弁３の開閉制御は、「開閉制御内容」が「開」である場合に、インターバル（表１０参照）の時間を１回の散水動作の時間とされ、その中で、「散水時間」と「散水時間定数」の積として求められる時間だけ、電磁弁３を開状態とすることにより、実現される。
【０１８２】
［６−４．変形例等］
以上説明した本実施の形態では、Ｖ／ＶｐｍとＩ／Ｉｐｍが組み合わせられて、電磁弁３の開閉制御が行なわれていた。なお、Ｉ／Ｉｐｍの代わりにＰ／Ｐｍを用いて、電磁弁３の開閉制御が行なわれても良い。つまり、Ｉ／Ｉｐｍの値をそのままＰ／Ｐｍの値に入れ替えて、Ｖ／Ｖｐｍと組み合わせて、電磁弁３の開閉制御が行なわれても良い。
【０１８３】
また、出力電圧に関するもう指標として、Ｖｐｍの代わりにＶｏｃ（Ｖｏｃ：定格開放電圧。日射量１ｋＷ／ｍ２、セル温度２５℃において、電流が０となる時の電圧値）を用いることができる。Ｖ／Ｖｏｃは、Ｖ／Ｖｐｍより少し小さい値を取るが、太陽電池パネル１１における発電量や温度に対する傾向としてはＶ／Ｖｐｍと同じであるため、Ｖ／Ｖｐｍとそっくり入れ替えて利用可能である。
【０１８４】
以上説明した本実施の形態では、太陽光発電システムにおいて、散水して太陽電池パネルを冷却する。太陽電池パネル１１の、出力電流値（Ｉ）の定格出力電流値（Ｉｐｍ）に対する比（Ｉ／Ｉｐｍ）と出力電圧値（Ｖ）の定格出力電流値（Ｖｐｍ）に対する比（Ｖ／Ｖｐｍ）に基づいて、太陽電池パネル１１への散水態様が決定される。Ｉ／Ｉｐｍの値が高いほど太陽電池パネルの発電量が多いため、冷却の必要性が高いとされる。また、Ｉ／Ｉｐｍの値が同じでも、Ｖ／Ｖｐｍの値が高ければ、太陽電池パネル１１の中の太陽電池セル１１Ａの温度が低いとして、冷却の必要性が低いとされる。冷却の必要性が高ければ、散水動作が実行され、また、１回の散水動作の散水時間は長くされ、散水動作のインターバルが短くされる。
【０１８５】
今回開示された実施の形態はすべての点で例示であって制限的なものではないと考えられるべきである。本発明の範囲は上記した説明ではなくて特許請求の範囲によって示され、特許請求の範囲と均等の意味及び範囲内のすべての変更が含まれることが意図される。
【図面の簡単な説明】
【０１８６】
【図１】本発明の太陽光発電システムの第１の実施の形態を構成する太陽電池パネルおよびその周辺の部材の外観を示す図である。
【図２】図１の散水装置の設置態様を説明するための図である。
【図３】図１の太陽電池ユニットにおいて太陽電池パネルが縦方向に隣接する部分の縦断面を模式的に示す図である。
【図４】図１の太陽電池ユニットの壁面への設置の前段階である、壁面に縦桟および横桟が取り付けられた状態を示す図である。
【図５】図１の太陽電池パネルの斜視図である。
【図６】図１の太陽電池発電システムの制御ブロック図である。
【図７】図６の中央処理部が実行する電磁弁制御処理のフローチャートである。
【図８】図３の変形例を示す図である。
【図９】本発明の太陽光発電システムの第２の実施の形態を構成する太陽電池パネルおよびその周辺の部材の外観を示す図である。
【図１０】本発明の太陽光発電システムの第３の実施の形態を構成する太陽電池パネルおよびその周辺の部材の外観を示す図である。
【図１１】図１０の太陽電池パネルと太陽熱温水パネルの外観を示す図である。
【図１２】本発明の太陽光発電システムの第４の実施の形態を構成する太陽電池パネルおよびその周辺の部材の外観を示す図である。
【図１３】図１２のＡ−Ａ線に沿う矢視断面図である。
【図１４】本発明の太陽光発電システムの第５の実施の形態の中央処理部が実行する電磁弁制御処理のフローチャートである。
【図１５】本発明の太陽光発電システムの第６の実施の形態の中央処理部が実行する電磁弁制御処理のフローチャートである。
【符号の説明】
【０１８７】
１  太陽電池ユニット、２  パワーコンディショナ、３  電磁弁、５  分電盤、６  負荷、７  電力メータ、９  リモコン、１０  化粧カバー、１１  太陽電池パネル、１１Ａ  太陽電池セル、１３  散水装置、１５  横桟、１６  縦桟、１７  ゴムテープ、１７Ａ  ゴムパッキン、２０  電源回路、２１  ノイズフィルタ、２２  発電量測定部、２５  変換部、２６  中央処理部、２８  記憶部、２９  通信処理部、３０〜３２  配管、３３  電圧信号ケーブル、３５  太陽熱温水パネル、３６  貯湯槽、４１  逆流防止素子、４２  直流側遮断機、４５Ａ，４５Ｂ  ケーブル。
【図１】
2010129677.tif 000013
【図２】
2010129677.tif 000014
【図３】
2010129677.tif 000015
【図４】
2010129677.tif 000016
【図５】
2010129677.tif 000017
【図６】
2010129677.tif 000018
【図７】
2010129677.tif 000019
【図８】
2010129677.tif 000020
【図９】
2010129677.tif 000021
【図１０】
2010129677.tif 000022
【図１１】
2010129677.tif 000023
【図１２】
2010129677.tif 000024
【図１３】
2010129677.tif 000025
【図１４】
2010129677.tif 000026
【図１５】
2010129677.tif 000027